(57)【要約】【課題】  快適な睡眠を取るために、フィット感及び通気性に優れ、且つ睡眠時に首部を的確にサポートする枕を提供する。【解決手段】  小さな粒子７を充填した高伸縮性の生地からなる内袋４を、硬質で空孔状の合成樹脂からなる平板状芯材５の上面に載置するとともに、高伸縮性の生地からなる外袋２で前記内袋及び平板状芯材５を内包し、前記平板状芯材５の上面中央部には、睡眠時に後頭部が嵌り込む後頭載置部５ａを設け、且つ該後頭載置部の容積に対応する粒子７の量も含めて前記内袋に粒子７を充填してなる。【選択図】図２
2010207405.tif 000002
【特許請求の範囲】
【請求項１】
小さな粒子を充填する高伸縮性の生地からなる内袋を、空孔状の合成樹脂からなる平板状芯材の上面に載置するとともに、高伸縮性の生地からなる外袋で前記内袋及び平板状芯材を内包し、前記平板状芯材の上面中央部には、睡眠時に後頭部が嵌り込む後頭載置部を設け、且つ該後頭載置部の容積に対応する粒子の量も含めて前記内袋に粒子を充填してなることを特徴とする枕。
【請求項２】
前記内袋は、睡眠時、身長方向に対して直交する方向に複数に分割してなることを特徴とする請求項１に記載の枕。
【請求項３】
前記外袋は、その底面の生地が無伸縮又は難伸縮であることを特徴とする請求項１又は２のいずれかに記載の枕。
【発明の詳細な説明】
【技術分野】
【０００１】
本発明は、快適な睡眠を取るために、フィット感及び通気性に優れ、且つ睡眠時に首部を的確にサポートする枕に関する。
【背景技術】
【０００２】
近年、睡眠時のイビキ対策や疲労回復を目的として、快適な睡眠を得るための環境を確保すべく、通気性に優れた枕又は素材や形状などのフィット感に優れた枕を選択する風潮が高まっている。特に、睡眠中の首部のサポートに関しては、枕の高さが低いと頚椎が伸び、逆に高いと頚椎が圧迫されてイビキ等の睡眠障害又は頭痛や肩凝り等の症状を引き起こす原因になるため、各自の頚椎の形状にあった枕を選択することは非常に重要である。しかしながら、従来提供されている枕の形状以上に人の体格や首部の形状は多様であるため、自分の頚椎の形状にあった枕を見つけるのは非常に困難である。そんな中、多数のパウダー枕やビーズ枕が市販されており、また、以下のような枕が提供されている。
【０００３】
例えば、発泡粒子をツーウェイトリコット生地で包んでなる内袋と、該内袋を収納する外袋とを備え、該外袋の裏面の一部とその表面の一部とを接続するこのよって、各内袋の収納されるべき場所が使用者の身長方向に区分されている安眠まくらが提供されている。この安眠まくらによれば、睡眠時に内袋内の発泡粒子が左右に流動して頭部全体を包むようにフィットするので、各人の体型にかかわらず快適な寝姿を実現することができる（特許文献１）。
【先行技術文献】
【特許文献】
【０００４】
【特許文献１】特開２００４−３４４５８６号公報
【発明の概要】
【発明が解決しようとする課題】
【０００５】
しかしながら、市販のパウダー枕やビーズ枕、特許文献１に記載の安眠まくらでは、頭部を包み込むようにフィットすることで、各人の体型に対応した寝姿を実現することができるものの、これら枕の後頭部に接する部分が頭部の重みにより押圧されて、発泡粒子が過剰に左右に流れてしまい、該後頭部に接するこれら枕の該当箇所が硬化してしまう。そのため、これら枕が頭部の形状にフィットしたとしても、後頭部に接する部分が硬化しているので不快である。
【０００６】
また、発泡粒子が充填された内袋及び外袋のみで構成される該安眠まくらは、通気性が悪いために熱がこもって蒸れてしまい、特に夏場などは暑くて、快適な睡眠などとても期待できるものではない。
【０００７】
さらに、上記したように、頭部の重みに押圧されて発泡粒子が左右に移動してしまうと、安眠まくらの首部と接する面が下がりすぎて首部が伸びてしまい、負担が掛かってイビキ等の睡眠障害又は頭痛や肩凝り等の症状を引き起こす可能性もある。
【０００８】
そこで、本発明は、快適な睡眠を取るために、フィット感及び通気性に優れ、且つ睡眠時に首部を的確にサポートする枕を提供することを課題とした。
【課題を解決するための手段】
【０００９】
上記課題を解決するために、本発明は次のように構成した。すなわち、本発明に係る請求項１に記載の発明は、小さな粒子を充填した高伸縮性の生地からなる内袋を、硬質で空孔状の合成樹脂からなる平板状芯材の上面に載置するとともに、高伸縮性の生地からなる外袋で前記内袋及び平板状芯材を内包し、前記平板状芯材の上面中央部には、睡眠時に後頭部が嵌り込む後頭載置部を設け、且つ該後頭載置部の容積に対応する粒子の量も含めて前記内袋に粒子を充填することを特徴としている。
【００１０】
また、請求項２に記載の発明は、前記請求項１に記載の枕であって、前記内袋が、睡眠時、身長方向に対して直交する方向に複数に分割してなることを特徴としている。
【００１１】
また、請求項３に記載の発明は、前記請求項１又は２のいずれかに記載の枕であって、前記外袋が、その底面の生地が無伸縮又は難伸縮であることを特徴とすることを特徴としている。
【発明の効果】
【００１２】
本発明に係る請求項１に記載の枕によれば、平板状芯材の後頭載置部に対応する内袋の中央部分に他部よりも多くの粒子が満たされているため、高伸縮性の生地と頭部の押圧により粒子が左右へと流動して、睡眠時に後頭部にフィット感を得ることができるとともに、該後頭載置部に嵌り込んでいる内袋からは、該後頭載置部の周側面が壁となって粒子の流動を阻害するので、内袋の後頭部接触面に充填された多数の粒子が頭部の押圧によって硬化することを防止し、寝心地が悪くなることもない。
【００１３】
また、空孔性に優れたウレタンフォームなどの合成樹脂からなる平板状芯材を枕の下部に設けることにより、通気性を確保し、夏場でも蒸れることなく快適に枕を使用して睡眠することができる。
【００１４】
さらに、平板状芯材に設けられた後頭載置部の断面凹状の両端とその上面に載置された内袋により、睡眠時の首部をサポートする。すなわち、平板状芯材の上面に粒子を充填した内袋を載置したことにより、内袋が首部のフィット感に貢献するとともに、平板状芯材が首部の押圧による内袋の過度な下がりを防止するため、枕の表面が睡眠時の頚椎の曲線に沿った形状となり、頚椎を伸ばしたり圧迫したりすることなく的確に首部をサポートすることができる。
【００１５】
また、請求項２に記載の枕によれば、内袋を分割したことにより、各区域内でのみに粒子の流動する範囲が限定されるので、頭部の押圧によって枕の表面が下がることを防止し、且つ押圧による枕の表面の硬化を防止することができる。
【００１６】
また、請求項３に記載の枕によれば、外袋の底面の生地を無伸縮又は難伸縮にしたことにより、睡眠時に、頭部の重みのために底面の生地がズレ上がってくるのを防止することができる。すなわち、本件枕に頭部を載置した際、頭部の重みによって底面の生地がズレ上がってしまうと枕全体が撓るため、内袋に充填された粒子が圧迫されて枕の表面が硬化し、睡眠時に不快感を与えてしまうが、外袋底面の生地を伸縮困難か伸縮しない生地で構成すれば、生地のズレ上がりを抑制することができるので、枕表面の硬化を防止し、フィット感に優れた枕を提供することができる。
【図面の簡単な説明】
【００１７】
【図１】本発明に係る枕を示す斜視図である。
【図２】該枕の内袋及び平板状芯材を示す斜視図である。
【図３】該平板状芯材を示す斜視図である。
【図４】該内袋及び平板状芯材を示す断面図である。
【図５】該内袋及び平板状芯材の使用状態を示す断面図である。
【図６】該枕の使用状態を示す斜視図である。
【図７】他の実施例の平板状芯材を示す斜視図である。
【図８】他の実施例の枕を示す断面図である。
【発明を実施するための形態】
【００１８】
以下、図面に基づいて本発明を具体的に説明する。
【００１９】
まず、図１は、本発明に係る枕１を示す斜視図である。外袋２は、高伸縮のツーウェイ生地で縫製され、短手方向のどちらか一方の側面にファスナー３やホックなどの係止具が設けられて、該ファスナー３の開閉により、以下の図２で説明する内袋４及び平板状芯材５の出し入れをする袋状に形成される。一般に、ツーウェイ生地は、二方向又は四方八方へとソフトに伸縮し、生地が柔らかで肌触りが良いので、本発明に係る枕の素材として最適であるが、布製やプラスチックシート製など柔軟なものであれば素材は問わない。ただ、この外袋２の底面は、難伸縮或いは無伸縮の生地で縫製されており、枕１の側面下端で上側面の高伸縮性の生地と縫合されている。なお、図示はしないが、外袋２の内面でファスナー３の開口部両端には、外袋２と下記の内袋４とを接続するための紐が設けてある。
【００２０】
この外袋２に内包される内袋４及び平板状芯材５は、図２に示す通り、平板状芯材５の上面に内袋４を載置した状態で、外袋２に内包される。外袋２と同様に、内袋４は、高伸縮のツーウェイ生地で縫製されるが、布製やプラスチック製など柔軟なものであれば素材は問わない。内袋４の四隅には紐６が設けられ、外袋２への収納後に、上記した外袋に設けた紐と接続することにより、外袋２と内袋４とをズレないように結合する。なお、紐６以外にもホック、クリップ又はピンなどで外袋２及び内袋４を結合してもよい。
【００２１】
また、平板状芯材５は、ウレタンフォームやＥＶＡなどの発泡合成樹脂で形成され、三次元の編目構造を構成することにより、空孔性を高めて通気性の良さを確保する。また、該平板状芯材５には、図３に示すように、上面の中央部に睡眠時に後頭部が嵌り込む程度の大きさで陥没した後頭載置部５ａが形成されている。内袋４は、この後頭載置部５ａの睡眠時身長方向の両端部で三分割に縫製され、身長方向と直交する方向に縫い付けることにより、図２に示した三区域の内袋４が形成される。この後頭載置部５ａには、粒子７を充填した内袋４が嵌り込むが、その様子を以下の図４に示した断面図を用いて説明する。
【００２２】
図４は、図２で示したＡ−Ａ断面図である。内袋４には、小さな粒子７が充填されている。該粒子７は、発泡スチロール製で、径０．５ｍｍ〜０．７ｍｍの球形ビーズであり、高伸縮性のツーウェイ生地で縫製された内袋４内に満たされている。また、平板状芯材５の後頭載置部５ａの前後方向の幅に対応して三分割された中央の内袋４には、陥没した後頭載置部５ａの容積に対応する粒子７の量も含めて前記内袋に粒子７が充填されている。よって、平板状芯材５に後頭載置部５ａを設けたからといって、平板状芯材５に載置した内袋４の中央部分が陥没するものではない。なお、小さな粒子７は、発泡スチロールに素材を限定するものではなく、角や尖端のない球状の小さな粒体であればよく、例えば、微細な砂や炭の粉などであってもよい。
【００２３】
図５は、枕１の使用状態を示す断面図である。上記のような枕１を使用して睡眠すると、平板状芯材５の後頭載置部５ａに対応する内袋４の中央部分には他部よりも多くの粒子７が満たされているため、ツーウェイ生地の高伸縮性により小さな粒子７が左右へと流動し、睡眠時に後頭部にフィット感を得ることができるとともに、該後頭載置部に嵌り込んでいる内袋４からは、後頭載置部の周側面が壁となって粒子７の流動を阻害するので、内袋４の後頭部接触面の硬化を防止し、寝心地が悪くなることもない。
【００２４】
また、空孔性に優れたウレタンフォームなどの合成樹脂からなる平板状芯材５を枕１の下部に設けることにより、通気性を確保し、夏場でも蒸れることなく快適に枕１を使用して睡眠することができる。
【００２５】
さらに、平板状芯材５の陥没した後頭載置部５ａの断面凹状の両端とその上面に載置された内袋４により、睡眠時の首部を的確にサポートする。すなわち、平板状芯材５の上面に粒子７を充填した内袋４を載置したことにより、内袋４が首部のフィット感に貢献するとともに、平板状芯材５が首部の押圧による枕１の過度な下がりを防止するために、枕１の表面が睡眠時の頚椎の曲線に沿った形状となり、的確に首部をサポートすることができる。
【００２６】
図６は、枕１の使用状態を示す斜視図である。睡眠時、枕１に頭部を載せると、中央の粒子７が左右に流れてしまうものの、中央近傍の粒子は他部に比べて多いため、枕１のクッション性が損なわれることはない。また、平板状芯材５が空孔性に優れた合成樹脂で形成されることにより、平板状芯材５は通気性にも優れている。また、このように内袋４を三分割したことにより、該分割された区域内でしか粒子７が移動しないので、枕１に頭部を載置しても粒子７が移動しにくくなり、その結果、枕１の硬化を防止して快適に睡眠をとることができる。
【００２７】
上記実施例の枕１では、平板状芯材５の上面に後頭載置部５ａのみを設けたが、図７で示すような突起部８を設けてもよい。これにより、枕１の前後を入れ替えれば、首部に対応する部分の高さ調整をすることができる。
【００２８】
また、上記実施例の枕１では、外袋２及び内袋４をそれぞれ設けたが、外袋２と内袋４を一体的に上下２層の袋を形成し、その上部に小さな粒子７を充填し、且つその下部に平板状芯材５を挿入できるような構成にしてもよい。
【００２９】
また、上記実施例の枕１では、内袋４を睡眠時身長方向と直交する方向に三分割して構成したが、分割せず一体的に構成してもよく、また二分割或いは四分割等、複数分割して構成してもよい。但し、上記実施例の枕１のように、内袋４を複数の袋に分割した方が、粒子７の流動する範囲が限定されるので、頭部の押圧による枕１表面の下がりを防止でき、且つ押圧による枕１の表面の硬化を防止することができる。
【００３０】
また、上記実施例の枕１において、図８に示すように、平板状芯材５の上面に後頭載置部５ａを設けずに、首部に接触する上面端部に突起部８を設けてもよい。このように構成しても、上記実施例の枕１が断面凹状の端部によって首部を的確にサポートしたように、突起部８が首部を的確にサポートすることができるとともに、突起部８と平板状芯材５の上面との段差が上記実施例の後頭載置部５ａの周側面と同様に粒子７の移動を阻害するために、頭部の押圧によって粒子７を内包した内袋４が硬化することなく快適に睡眠を摂ることができる。
【産業上の利用可能性】
【００３１】
上記実施例で示した枕１の他にも、上記平板状芯材５の上面で陥没した後頭載置部５ａに臀部が嵌り込むように構成したクッション等としても使用することができる。
【符号の説明】
【００３２】
１    枕
２    外袋
３    ファスナー
４    内袋
５    平板状芯材
５ａ  後頭載置部
６    紐
７    粒子
８    突起部
【図１】
2010207405.tif 000003
【図２】
2010207405.tif 000004
【図３】
2010207405.tif 000005
【図４】
2010207405.tif 000006
【図５】
2010207405.tif 000007
【図６】
2010207405.tif 000008
【図７】
2010207405.tif 000009
【図８】
2010207405.tif 000010